(57)【要約】【課題】ユーザの操作方法からユーザが操作に不慣れであることを判断し、正しい操作方法を教示すること。【解決手段】映像表示装置１は、複数種の周辺機器から映像を入力するための複数の入力端子を備えた映像表示装置１において、各入力端子から入力された入力信号に基づいて、映像を表示する映像表示部と、各入力端子の切換えを行うための入力切換手段と、所定時間内に為された入力切換手段による切換え動作をカウントする切換動作カウント手段と、切換動作カウント手段によるカウント数が所定数を超えた場合、映像表示部にヘルプ画像を表示させるヘルプ画像表示手段と、を備えたものである。【選択図】図３
2008197275.tif 000002
【特許請求の範囲】
【請求項１】
複数種の周辺機器から映像を入力するための複数の入力端子を備えた映像表示装置において、
前記各入力端子から入力された入力信号に基づいて、映像を表示する映像表示部と、
前記各入力端子の切換えを行うための入力切換手段と、
所定時間内に為された前記入力切換手段による切換え動作をカウントする切換動作カウント手段と、
前記切換動作カウント手段によるカウント数が所定数を超えた場合、前記映像表示部にヘルプ画像を表示させるヘルプ画像表示手段と、を備えたことを特徴とする映像表示装置。
【請求項２】
前記各入力端子から前記入力信号が入力されているか否かを検出する入力信号検出手段と、
前記入力信号検出手段により、前記入力信号が未検出とされた場合の未検出時間を計測する未検出計測手段と、を更に備え、
前記ヘルプ画像表示手段は、前記未検出計測手段による未検出時間が、予め設定した所定時間に達した場合、前記映像表示部に前記ヘルプ画像を表示させることを特徴とする請求項１に記載の映像表示装置。
【請求項３】
前記ヘルプ画像は、前記映像表示部に所望の映像を表示するための操作手順を教示する操作教示機能を有していることを特徴とする請求項１または２に記載の映像表示装置。
【請求項４】
複数種の周辺機器から映像を入力するための複数の入力端子を備えた映像表示装置の制御方法おいて、
前記各入力端子の切換えを行うための入力切換手段による所定時間内に為された切換え動作をカウントする切換動作カウント工程と、
前記切換動作カウント工程でカウントされたカウント数が所定数を超えた場合、前記各入力端子から入力された入力信号に基づいて、映像を表示する映像表示部にヘルプ画像を表示させるヘルプ画像表示工程と、を備えたことを特徴とする映像表示装置の制御方法。
【発明の詳細な説明】
【技術分野】
【０００１】
本発明は、複数の入力端子から入力された入力信号に基づいて、映像を表示する映像表示装置およびその制御方法に関するものである。
【背景技術】
【０００２】
従来、この種の映像表示装置として、パソコンやビデオ等の周辺機器からの映像を入力するための複数の入力端子を有する液晶プロジェクタと、液晶プロジェクタと別体に設けられ、各入力端子の切換えを行なうためのタッチパネルと、を備えたものが知られている（例えば、特許文献１参照）。このタッチパネルでは、各入力端子に入力された複数の映像を表示する表示部が設けられており、表示部に表示された所望の映像に触れることで、各入力端子を切り換えている。これにより、タッチパネルを視認しながら、所望の映像を簡単に投影することができる。
【特許文献１】特開２００３−３２３１６８号公報
【発明の開示】
【発明が解決しようとする課題】
【０００３】
しかしながら、上記のような構成では、別途タッチパネルを設ける必要があるため、装置コストが増大する問題がある。このため、通常は、液晶プロジェクタ本体やこれを操作するためのリモコンに設けられた入力切換ボタンを押すことで、入力端子の切換えを行っている。つまり、入力切換ボタンを押して映像を切り換えながら、所望の映像を投影させている。ところで、入力信号の未入力や接続不良等があると、所望の映像が投影されない。このとき、ユーザが、入力切換ボタンをいくら操作しても、所望の映像を投影することができない問題がある。また、ユーザが、操作に不慣れな場合は、ヘルプボタンの存在に気付かず、入力切換ボタンを何度も押してしまうことがある。
【０００４】
本発明は、ユーザの操作方法からユーザが操作に不慣れであることを判断し、正しい操作方法を教示することができる映像表示装置およびその制御方法を提供することを課題とする。
【課題を解決するための手段】
【０００５】
本発明の映像表示装置は、複数種の周辺機器から映像を入力するための複数の入力端子を備えた映像表示装置において、各入力端子から入力された入力信号に基づいて、映像を表示する映像表示部と、各入力端子の切換えを行うための入力切換手段と、所定時間内に為された入力切換手段による切換え動作をカウントする切換動作カウント手段と、切換動作カウント手段によるカウント数が所定数を超えた場合、映像表示部にヘルプ画像を表示させるヘルプ画像表示手段と、を備えたことを特徴とする。
【０００６】
本発明の映像表示装置の制御方法は、複数種の周辺機器から映像を入力するための複数の入力端子を備えた映像表示装置の制御方法おいて、各入力端子の切換えを行うための入力切換手段による所定時間内に為された切換え動作をカウントする切換動作カウント工程と、切換動作カウント工程でカウントされたカウント数が所定数を超えた場合、各入力端子から入力された入力信号に基づいて映像を表示する映像表示部に、ヘルプ画像を表示させるヘルプ画像表示工程と、を備えたことを特徴とする。
【０００７】
これらの構成によれば、入力信号の未入力や接続不良等により、所望の映像が表示されず、入力切換手段による切換え動作が、所定時間内に所定回数行なわれた場合、言い換えれば、ユーザが、入力切換手段により何度も切換え動作を行っても、所望の映像が表示されなかった場合、映像表示部にヘルプ画像を表示する。すなわち、ユーザの切換え動作からユーザが操作に不慣れか否かを判断し、不慣れと判断した場合には、ヘルプ画像を表示する。これにより、ヘルプ画像を手掛かりとして、所望の映像を表示することができる。
【０００８】
この場合、各入力端子から入力信号が入力されているか否かを検出する入力信号検出手段と、入力信号検出手段により、入力信号が未検出とされた場合の未検出時間を計測する未検出計測手段と、を更に備え、ヘルプ画像表示手段は、未検出計測手段による未検出時間が、予め設定した所定時間に達した場合、映像表示部にヘルプ画像を表示させることが、好ましい。
【０００９】
この構成によれば、所望の映像が表示されず、入力信号が検出されない状態、すなわち、映像表示部に映像が表示されていない状態において、ユーザが、入力端子の切換えを行なわない場合、映像表示部にヘルプ画像を表示する。すなわち、入力信号が所定時間以上の未検出状態の場合には、ユーザが操作方法を迷っていると判断し、ヘルプ画像を表示する。これにより、ヘルプ画像を手掛かりとして、所望の映像を表示することができる。
【００１０】
この場合、ヘルプ画像は、映像表示部に所望の映像を表示するための操作手順を教示する操作教示機能を有していることが、好ましい。
【００１１】
この構成によれば、ユーザに、所望の映像を映像表示部に表示するまでの操作手順を教示することができる。
【発明を実施するための最良の形態】
【００１２】
以下、添付の図面を参照して、本発明の実施形態に係る映像表示装置について説明する。本実施形態に係る映像表示装置は、ユーザの操作方法からユーザが操作に不慣れであることを判断し、正しい操作方法を教示するヘルプ画像を表示するものである。なお、本実施形態では、映像表示装置としてプロジェクタを用いた場合を例に挙げて説明する。
【００１３】
図１および図２は、プロジェクタ１を前方および後方からそれぞれ見た外観斜視図である。両図に示すように、プロジェクタ１は、略直方形状のケース２により外殻が形成され、ケース２の前面右部に内蔵した投射ランプ３の光軸上に位置して、レンズ４が配設されている。
【００１４】
ケース２上面には、プロジェクタ１の起動・調整操作を行うための操作パネル５が設けられている。操作パネル５には、電源ボタン６や、外部機器の入力切換え行うための入力切換ボタン７などの複数の操作ボタン８が配設されており、これら操作ボタン８を適宜押下することによりプロジェクタ１の所望の操作を行うようになっている。
【００１５】
ケース２上面のレンズ４近傍には、投射ランプ３による投射光の上下方向の変調調整を行うための上下調整ダイヤル９と、左右方向の変調調整を行うための左右調整ダイヤル１０と、が左右に並んで配設されている。投射ランプ３は、液晶パネル（図示省略）で変調形成された光学像を拡大投射する機能を備えており、上記のレンズ４は組レンズで構成されている。ケース２下面には、前部の２つの調整脚部１１、１１と、後部の１つの固定脚部１２と、が配設され、投射時におけるプロジェクタ１の上下方向および左右方向の位置調整が可能になっている。
【００１６】
ケース２の前面には、リモコン受光窓１３が形成されている。リモコン受光窓１３の内部には、図外のリモートコントローラ（リモコン）からの操作信号を受信するリモコン受光部２１が設けられている。なお、リモートコントローラには、上述した操作パネル５に設けられた操作ボタン８と同様の機能を有し、例えば、プロジェクタ１に接続された外部機器の入力切換ボタンが設けられており、それらを操作すると、操作に応じた赤外線信号がリモートコントローラから出力され、リモコン受光窓１３を介してリモコン受光部２１で受光されて、制御信号に変換された後、後述する制御部２０で処理が行われる。
【００１７】
ケース２の後面には、窪み部１６が設けられ、この窪み部１６の下部に位置して電源コネクタ１７が配設されている。また、窪み部１６には、ＰＣやＤＶＤ等の外部機器から画像信号および音声信号等を入力するための複数の接続端子１８が配設されている。窪み部１６の横には、上記のリモコン受光窓１３と同一のリモコン受光窓１３と、音声を出力するためのスピーカ１９と、が配設されている。また、図１および図２では省略したが、ケース２の内部には、プロジェクタ１を統括制御する制御部２０を構成する回路基板が搭載されている。
【００１８】
次に、図３を参照して、本実施形態に係るプロジェクタ１の制御系について説明する。同図に示すように、プロジェクタ１は、入力処理部２２と、電源部２３と、入力選択部２４と、映像音声処理部２５と、映像出力部２６と、映像投射部２７と、音声出力部２８と、タイマ部２９と、記憶部３０と、これらを統括制御する制御部２０と、を備えている。
【００１９】
入力処理部２２は、リモコン受光部２１が受光したリモコン３１の入力切換操作および操作ボタン８の入力切換操作による入力信号処理を行う。電源部２３は、電源コネクタ１７を介して外部電源からプロジェクタ１の各部に電力を供給する。入力選択部２４は、制御部２０の制御に従い、複数の接続端子１８に接続された外部接続機器３２からの入力信号を選択して、選択した入力信号を映像音声処理部２５に出力する。
【００２０】
映像音声処理部２５は、入力選択部２４で選択された入力信号に対して、所定の映像音声処理を施して、映像信号を映像出力部２６に、音声信号を音声出力部２８に出力する。また、映像音声処理部２５は、制御部２０の制御に従い、後述するヘルプ情報に所定の映像音声処理を施して、映像出力部２６および音声出力部２８に出力する。
【００２１】
映像出力部２６は、映像音声処理部２５で映像音声処理が施された映像信号を、映像投射部２７に出力する。映像投射部２７は、投射ランプ３やレンズ４等の光学系部品を含んで構成され、映像出力部２６から出力された映像（後述するヘルプ画像を含む）をスクリーン等に投射する。なお、映像出力部２６および映像投射部２７は、請求項で言う映像表示部を構成するものである。
【００２２】
音声出力部２８は、映像音声処理部２５で映像音声処理が施された音声信号を、スピーカ１９に出力する。タイマ部２９は、制御部２０の指示に従い、ヘルプ画像を表示するために必要な基準時間の計測を行う。具体的には、タイマ部２９は、入力切換動作のカウントに伴う基準時間（例えば、５秒）を計測すると共に（タイマ１）、入力信号の未検出時間（例えば、１分）を計測する（タイマ２）。記憶部３０は、主要部がＲＡＭで構成され、所望の映像を表示するための操作手順を教示するヘルプ画像情報や音声アナウンス情報を記憶している。
【００２３】
制御部２０は、ＣＰＵ、ＲＯＭ、ＲＡＭおよびこれらを接続する内部バス等で構成されている。プロジェクタ１の各部から各種信号およびデータが入力されると、ＣＰＵは、ＲＯＭ内に記憶された制御プログラムに従って、入力された各種信号およびデータに基づいて、ＲＡＭ内の各種データを演算処理し、各部に各種信号およびデータを出力する。具体的には、制御部２０は、入力処理部２２の入力処理結果から、タイマ部２９で計測した所定時間内に為された入力端子の切換え動作をカウントし（切換動作カウント手段）、カウント数が所定数を超えた場合には、記憶部３０に記憶されたヘルプ画像を映像音声処理部２５を介して映像表示部に表示させる（ヘルプ画像表示手段）。また、制御部２０は、入力選択部２４により選択された入力端子からの入力信号が、映像音声処理部２５に入力されているか否かを検出し（入力信号検出手段）、入力信号が未検出の場合には、タイマ部２９により未検出時間を計測し（未検出計測手段）、未検出時間が予め設定した所定時間に達すると、記憶部３０に記憶されたヘルプ画像を映像音声処理部２５を介して映像表示部に表示させる（ヘルプ画像表示手段）。
【００２４】
なお、映像表示部（映像出力部２６および映像投射部２７）、切換動作カウント手段、ヘルプ画像表示手段および未検出計測手段は、ＣＰＵが、ＲＯＭ内の制御プログラムに従って各種データを演算し、さらにタイマ部２９および記憶部３０と協働して処理を実行することにより実現されるものである。
【００２５】
次に、図４を参照して、所定時間内に入力切換操作の操作回数が所定数を超えた場合のプロジェクタ１の制御動作について説明する。まず、制御部２０は、入力切換ボタンの検出を行い（Ｓ１）、タイマ部２９のタイマ１が動作中であるか判別する（Ｓ２）。最初の検出のように、タイマ１が動作中でない場合（Ｓ２：Ｎｏ）、タイマ部２９のタイマ１をスタートする（Ｓ３）。
【００２６】
次に、入力切換操作ボタンの操作回数をカウントするためのカウンタ上限値（例えば、１０回）を設定し（Ｓ４）、入力切換操作回数のカウンタをクリアし（Ｓ５）、入力切換操作回数をカウントする（Ｓ６）。
【００２７】
次に、入力選択部２４により選択された入力端子からの入力信号に切換え（Ｓ７）、映像信号が検出されたか否かを判別する（Ｓ８）。映像信号が検出された場合（Ｓ８：Ｙｅｓ）、Ｓ４で設定したカウンタ上限値を少なく（例えば、８回）設定する（Ｓ９）。一方、映像信号が検出されない場合（Ｓ８：Ｎｏ）、Ｓ１０の処理に進む。
【００２８】
次に、タイマ１が所定時間に到達したか否か判別し（Ｓ１０）、到達した場合（Ｓ１０：Ｙｅｓ）、タイマ部２９のタイマ１を停止する（Ｓ１１）。タイマ１が所定時間に到達していない場合（Ｓ１０：Ｎｏ）、入力操作回数がカウンタ上限値を超えたか否か判別する（Ｓ１２）。入力操作回数がカウンタ上限値を超えた場合（Ｓ１２：Ｙｅｓ）、タイマ１を停止して（Ｓ１３）、図５に示すようなヘルプ画像を表示する（Ｓ１４）。ここで、表示されるヘルプ画像には、入力切換操作方法等が具体的に表示される。すなわち、上述した動作では、所定時間内に、ユーザの入力切換操作回数が繰り返されてカウント上限値を超えた場合には、正しい操作がわからずに誤った入力切換操作を繰り返していると判断し、正しい操作手順を教示するためのヘルプ画像を表示している。
【００２９】
一方、タイマ１を停止した場合（Ｓ１１）、または入力操作回数がカウンタ上限値を超えていない場合（Ｓ１２：Ｎｏ）、入力切換ボタン７の検出処理に移行する（Ｓ１５）。
【００３０】
次に、図６を参照して、所定時間内に入力信号が検出されない場合のプロジェクタ１の制御動作について説明する。まず、制御部２０は、入力信号無し状態を検出すると（Ｓ２１）、タイマ部２９のタイマ２をスタートさせる（Ｓ２２）。次に、入力信号を検出したか否か判別し（Ｓ２３）、検出しない場合（Ｓ２３：Ｎｏ）、タイマ２が所定時間に到達したか否かを判別する（Ｓ２４）。タイマ２が所定時間に到達した場合（Ｓ２４：Ｙｅｓ）、図５に示すようなヘルプ画像を表示する（Ｓ２５）。すなわち、上述した動作では、所定時間の間、入力信号が未検出状態が続いている場合、例えば、プロジェクタ１と映像機器との接続等の操作に誤りがあると判断し、正しい操作手順を教示するためにヘルプ画像を表示している。
【００３１】
一方、入力信号を検出した場合（Ｓ２３：Ｙｅｓ）、タイマ部２９のタイマ２を停止する（Ｓ２６）。また、タイマ２が所定時間に到達しない場合（Ｓ２４：Ｎｏ）、Ｓ２３の処理に戻る。なお、本実施形態では、図４および図６に示す制御動作を別々に行ってもよいが、これら制御動作は並行して行うことが好ましい。
【００３２】
このように、本実施形態によれば、ユーザの切換え動作からユーザが操作に不慣れか否かを判断し、不慣れと判断した場合には、ヘルプ画像を表示する。これにより、ヘルプ画像を手掛かりとして、所望の映像を表示することができる。
【図面の簡単な説明】
【００３３】
【図１】本発明の実施形態に係るプロジェクタを前方から見た外観斜視図である。
【図２】本実施形態に係るプロジェクタを後方から見た外観斜視図である。
【図３】本実施形態に係るプロジェクタの制御系を説明するためのブロック図である。
【図４】本実施形態に係るプロジェクタの制御動作を説明するためのフローチャートである。
【図５】ヘルプ画像の表示例を示す図である。
【図６】本実施形態に係るプロジェクタの制御動作を説明するためのフローチャートである。
【符号の説明】
【００３４】
１…映像表示装置（プロジェクタ）  ２０…制御部  ２２…入力処理部  ２４…入力選択部  ２５…映像音声処理部  ２６…映像出力部  ２７…映像投射部  ２９…タイマ部  ３０…記憶部
【図１】
2008197275.tif 000003
【図２】
2008197275.tif 000004
【図３】
2008197275.tif 000005
【図４】
2008197275.tif 000006
【図５】
2008197275.tif 000007
【図６】
2008197275.tif 000008